(57)【要約】【課題】表面実装基板とプリント基板との間のハンダ付け不良を低減するフットプリントを備えたプリント基板を提供することを目的とする。【解決手段】電子部品を実装された表面実装基板と電気的にハンダ接続され、電子部品の放熱を支援するフットプリントを備えるプリント基板であって、フットプリントが、表面実装基板の外縁側に配置されると共にハンダ接合される場合に独立にハンダが供給されるフィレット形成分割部を備え、フィレット形成分割部は、フットプリントがハンダ接合される表面実装基板の電極と同一の電極にハンダ接合されるプリント基板とする。【選択図】図１
2010097835.tif 000002
【特許請求の範囲】
【請求項１】
電子部品を実装された表面実装基板と電気的にハンダ接続され、前記電子部品の放熱を支援するフットプリントを備えるプリント基板において、
前記フットプリントは、前記表面実装基板の外縁側に配置されると共にハンダ接合される場合に独立にハンダが供給されるフィレット形成分割部を備え、
前記フィレット形成分割部は、前記フットプリントがハンダ接合される前記表面実装基板の電極と同一の前記電極にハンダ接合される
ことを特徴とするプリント基板。
【請求項２】
請求項１に記載のプリント基板において、
前記プリント基板は、複数の前記フィレット形成分割部を備え、
複数の前記フィレット形成分割部は、前記ハンダ接合された場合に前記表面実装基板の前記外縁側において、前記外縁に平行に配置される
ことを特徴とするプリント基板。
【請求項３】
請求項２に記載のプリント基板において、
前記ハンダ接合される場合に、独立に供給されるハンダ量が複数の前記フィレット形成分割部間において同一となるように、複数の前記フィレット形成分割部は同一形状である
ことを特徴とするプリント基板。
【請求項４】
請求項１乃至請求項３のいずれか一項に記載のプリント基板において、
前記プリント基板は、
前記ハンダ接合された場合に前記表面実装基板の所定の第一外縁側に配置された第一フィレット形成分割部と、
前記第一外縁側と対向する第二外縁側に配置された第二フィレット形成分割部と、を備える
ことを特徴とするプリント基板。
【請求項５】
請求項１乃至請求項４のいずれか一項に記載のプリント基板において、
前記フィレット形成分割部は、前記ハンダ接合の為に独立にハンダが供給された場合に、前記フィレット形成分割部から溶融ハンダが流出しない程度の括れ部を備える
ことを特徴とするプリント基板。
【請求項６】
請求項１乃至請求項５のいずれか一項に記載のプリント基板と、
前記プリント基板とハンダ接合された場合に、前記フィレット形成分割部に対し反外縁方向に延伸された電極を備える表面実装基板と、を備え、
前記電極は、前記フィレット形成分割部を含めた前記フットプリントと対向してハンダ接合される
ことを特徴とする電子装置。
【発明の詳細な説明】
【技術分野】
【０００１】
本発明は、ハンダ付不良を低減するプリント基板とそのプリント基板を備える電子装置とに関する。
【背景技術】
【０００２】
表面実装型の電子部品（ＳＭＤ）が搭載されるプリント基板（プリント配線基板（ＰＷＢ）とも称する）は、基板表面に電子部品の電極を実装するためのハンダ付け用フットプリントを有する。【０００３】
ハンダ付け用フットプリントは、例えば銅箔で形成されておりプリント基板と電子部品との間を電気的に接続する。また、ハンダ付け用フットプリントは、電子部品で生じた熱を放熱するための熱伝導経路としても機能する。【０００４】
表面実装型の電子部品をプリント基板に実装する際には、メタルマスクを使用したスクリーン印刷によって、ハンダ付け用フットプリント上にクリームハンダが転写・塗布される。そして、プリント基板のフットプリントと電子部品の電極とがクリームハンダ介して接続されるように、電子部品の電極が所定の位置に載置される。【０００５】
クリームハンダはリフロー炉での加熱により一端溶融した後、固化されて電子部品とプリント基板とがハンダ付けされる。このため、ハンダ付け用フットプリントは、電子部品のリード形状に併せて適宜配設される。【０００６】
また、電子部品と配線構造との複雑化・高度化に伴い、予め複数の電子部品を搭載した表面実装基板を準備しておき、この表面実装基板をプリント基板にハンダ付けする場合もある。大きさの異なる複数の電子部品をフットプリントに精度良くハンダ付けすることができるプリント配線基板のフットプリント構造は、例えば下記特許文献１に開示されている。【０００７】
【特許文献１】特開２００２−３２９９５４号公報
【発明の開示】
【発明が解決しようとする課題】
【０００８】
電子部品の高度化・複雑化に伴う発熱量の増大に対応するため、表面実装基板からプリント基板への放熱を支援するように、個々のフットプリントは増大する傾向にある。個々のフットプリントが増大すればハンダ供給量が増えることから、フットプリント内において供給されたハンダの偏在等が生じやすくなる。ハンダの偏在等が生じると、表面実装基板とプリント基板との間のハンダ付け不良が生じる一因となる。【０００９】
本発明は、上述の問題点に鑑み為されたものであり、表面実装基板とプリント基板との間のハンダ付け不良を低減するフットプリントを備えたプリント基板等を提供することを目的とする。
【課題を解決するための手段】
【００１０】
この発明にかかるプリント基板は、電子部品を実装された表面実装基板と電気的にハンダ接続され、電子部品の放熱を支援するフットプリントを備えるプリント基板であって、フットプリントが、表面実装基板の外縁側に配置されると共にハンダ接合される場合に独立にハンダが供給されるフィレット形成分割部を備え、フィレット形成分割部は、フットプリントがハンダ接合される表面実装基板の電極と同一の電極にハンダ接合されることを特徴とする。【００１１】
また、この発明にかかるプリント基板は、好ましくはプリント基板が、複数のフィレット形成分割部を備え、複数のフィレット形成分割部は、ハンダ接合された場合に表面実装基板の外縁側において、外縁に平行に配置されてもよい。【００１２】
また、この発明にかかるプリント基板は、さらに好ましくはハンダ接合される場合に独立に供給されるハンダ量が複数のフィレット形成分割部間において同一となるように、複数のフィレット形成分割部は同一形状であってもよい。【００１３】
また、この発明にかかるプリント基板は、さらに好ましくはプリント基板が、ハンダ接合された場合に表面実装基板の所定の第一外縁側に配置された第一フィレット形成分割部と、第一外縁側と対向する第二外縁側に配置された第二フィレット形成分割部とを備えてもよい。【００１４】
また、この発明にかかるプリント基板は、さらに好ましくはフィレット形成分割部が、ハンダ接合の為に独立にハンダが供給された場合に、フィレット形成分割部から溶融ハンダが流出しない程度の括れ部を備えてもよい。【００１５】
また、この発明にかかる電子装置は、上述のプリント基板と、プリント基板とハンダ接合された場合にフィレット形成分割部に対し反外縁方向に延伸された電極を備える表面実装基板とを備え、電極は、フィレット形成分割部を含めたフットプリントと対向してハンダ接合される。
【発明の効果】
【００１６】
表面実装基板とプリント基板との間のハンダ付け不良を低減するフットプリントを備えたプリント基板等を提供できる。
【図面の簡単な説明】
【００１７】
【図１】第一の実施形態にかかるプリント基板のフットプリント形状を説明する模式図である。
【図２】表面実装基板をハンダ接合面側から見た概要を説明する概念図である。
【図３】表面実装基板とプリント基板とをハンダ接合した電子装置の構造を概念的に説明する模式図である。
【図４】対向する二つの外縁に各々フィレット形成分割部郡を備えるプリント基板を説明する概念図である。
【図５】第二の実施形態にかかる表面実装基板のハンダ付け面を例示する図である。
【図６】第三の実施形態にかかる電子装置の構成概要を説明する模式図である。
【図７】第四の実施形態にかかるフットプリントを例示する概念図である。
【図８】電子装置の構成概要を示す概念図である。
【図９】電子装置のハンダ偏在等を説明する概念図である。
【符号の説明】
【００１８】
１００・・表面実装基板、１０１・・外縁、１１０・・電極、２００・・プリント基板、２１０（１）・・フィレット形成分割部、２３０（１）・・フットプリント。
【発明を実施するための最良の形態】
【００１９】
実施形態で説明するプリント基板は、プリント基板への放熱を目的として底面に長いハンダ付け用電極を有する表面実装基板を実装する場合に、長いハンダ付け用電極と、これに対応するプリント基板のフットプリントと、の間でのハンダ付け不良を低減する。【００２０】
表面実装基板の長いハンダ付け用電極と、これに対応するプリント基板の長いフットプリントと、をハンダ付けする場合には、短いフットプリントの場合に比較して広い面積に相当量のクリームハンダを塗布することになる。すなわち、表面実装基板の長いハンダ付け用電極と、プリント基板の長いフットプリントとをハンダ付けする場合には、一つのフットプリント上に塗布されるクリームハンダ量が増大する。【００２１】
また、リフロー工程でクリームハンダを溶融させた場合にクリームハンダの流動可能面積、すなわちフットプリントの面積に相当する面積が、長いフットプリントの場合には短いフットプリントの場合に比較して大きくなる。このため、溶融ハンダの偏在等が生じ易くなり、ハンダ付け時に表面実装基板の傾きを生じたり、フィレットが形成されずにハンダ付け不良を生じたりする一因となる。【００２２】
そこで本実施形態においては、表面実装基板の長いハンダ付け用電極にハンダ付けされるプリント基板の長いフットプリントを分割し、フィレット形成分割部を形成する。フィレット形成分割部は、長いフットプリント長軸に対して、表面実装基板がハンダ付けされた場合の外縁側に、溶融ハンダの偏在が生じない程度の大きさで分割されて形成される。また、プリント基板が複数のフィレット形成分割部を備える場合には、典型的には各フィレット形成分割部が同一形状で外縁に平行に配置されるものとする。【００２３】
これにより各フィレット形成分割部には、同一量のクリームハンダが塗布される。また、各フィレット形成分割部は長いフットプリントより小さな面積であって溶融ハンダの流動面積が分割前のフットプリントより小さい。従って、溶融ハンダの偏在を低減できるとともにフィレットを良好に形成できるプリント基板となる。すなわち、実施形態で説明するプリント基板は、フィレット形成不良と表面実装基板の傾き等ハンダ接合の不良を低減するプリント基板とできる。【００２４】
なお、クリームハンダを各フィレット形成分割部に塗布する場合に、例えば各フィレット形成分割部の形状に整合するように作製されたメタルマスクを用いてもよい。【００２５】
ここで、表面実装基板からプリント基板への放熱について図８を用いて簡略に説明する。図８は、表面実装基板とプリント基板とを備える電子装置５０００の構成概要を示す概念図である。図８において、表面実装基板５１００は、基材５４０に配された電極５１３０のほぼ全面において、ハンダ５３０と接合される。【００２６】
また、プリント基板５２００は、基材樹脂層５１０に配されたフットプリント５２２０のほぼ全面において、ハンダ５３０と接合される。なお、フットプリント５２２０の周囲は、基板レジスト５２０が配されており他のフットプリント等と絶縁される。【００２７】
理想的には図８に示すように、電極５１３０とフットプリント５２２０との間にハンダ５３０が充填された状態で、表面実装基板５１００の辺縁部においてフィレット５３５を形成する。ハンダ付けの外観検査時にはフィレット５３５の有無が不良判断指標となり、また適正なフィレット５３５が規格で定められている。【００２８】
電子装置５０００は、表面実装基板５１００に搭載された電子部品等が発熱すると、電極５１３０からハンダ５３０を介してフットプリント５２２０へと熱を逃がす。電子装置５０００は、プリント基板５２００に形成された不図示の広面積パターンプリントに、フットプリント５２２０から熱伝導可能なように熱経路を有する。また、電子装置５０００は、内層ベタプリントに放熱できるように、フットプリント５２２０から貫通ビアホールを介した熱経路が形成されていてもよい。【００２９】
電子装置５０００は、電子部品等の動作保証温度範囲内を逸脱して電子部品等が昇温しないように、適切な放熱構造を有する。より効率的な放熱をするために、電子装置５０００は、より大きな電極５１３０とフットプリント５２２０とを備えることが好ましい。【００３０】
一方で、図９に示すように、電子装置６０００にハンダ偏在等が生じる場合がある。図９は、電子装置６０００のハンダ偏在等を説明する概念図である。図９においては、図８と対応する部材には対応する符号を付すこととする。【００３１】
電子装置６０００においては、表面実装基板５１００の浮きや傾き（いわゆるシーソー現象）により、表面実装基板５１００とプリント基板５２００との間に隙間が生じている。表面実装基板５１００とプリント基板５２００との間の隙間は、基材５４０のハンダ接合面側での凹凸や基板レジスト５２０等の凹凸や剃り等の影響で生じる場合もある。【００３２】
例えば、北米向け仕様の電子装置６０００においては、基板レジスト５２０の最低膜厚値が要求される場合もあり、基板レジスト５２０が厚めに設計される傾向にある。基板レジスト５２０が厚めに設計される場合には、表面実装基板５１００とプリント基板５２００との間の隙間は、厚めの基板レジスト５２０によってより大きくなる傾向があり、表面実装基板５１００の浮きが顕著となる。【００３３】
表面実装基板５１００の浮きが顕著となると、特に長い電極５１３０（２）と対向する長いフットプリント５２２０（２）との間のハンダ５３０（２）は、電極５１３０（２）とフットプリント５２２０（２）との間を充填するだけのハンダ量が増大するので、所定のハンダ供給量では不足することとなる。このようなハンダ５３０（２）の不足は、電極５１３０（２）またはフットプリント５２２０（２）の面積の大きさに比例して増大し、また浮き量に積算されて増大する。【００３４】
ハンダ５３０（２）が不足すれば、電極５１３０（２）とフットプリント５２２０（２）との間を充填することができなくなり、電極５１３０（２）とフットプリント５２２０（２）との間に隙間が生じる。ハンダ５３０（２）は、ハンダ５３０（２）の表面張力によりハンダ５３０（２）がフットプリント５２２０（２）の中心部に凝集する傾向がある。このため、電極５１３０（２）とフットプリント５２２０（２）との間の隙間は、図９に示すようにフットプリント５２２０（２）の辺縁部分において生じ易い。【００３５】
また、図９に示すように電極５１３０（２）とフットプリント５２２０（２）との間のハンダ５３０（２）は、フィレットを形成することができず、ハンダ付け外観検査において不良と判定されることとなる。【００３６】
一方、比較的短い電極５１３０（１）とフットプリント５２２０（１）との間のハンダ５３０（１）は、表面実装基板５１００の浮きによる影響が比較的少なく、良好なフィレットが形成される。比較的短い電極５１３０（１）とフットプリント５２２０（１）との間においては、ハンダ５３０（１）が不足する場合でも不足量が比較的少ない。従って、ハンダ５３０（１）が表面張力等により凝集しようとする力よりも、ハンダ５３０（１）が電極５１３０（１）とフットプリント５２２０（１）との間で形成するフィレット等に起因する凝集抑止力の方が大きくなるとも考えられる。これにより、ハンダ５３０（１）は供給された位置に留まることができる。【００３７】
このため、電極５１３０（１）とフットプリント５２２０（１）との間においては、電極５１３０（２）とフットプリント５２２０（２）との間に比べて、ハンダ付け不良となる懸念が比較的少ない。【００３８】
なお、表面実装基板５１００の浮きを低減することを目的として、例えば表面実装基板５１００とプリント基板５２００との間を接着しようとすると、接着剤自体が新たな樹脂層として浮きを増長させる一因となることが懸念される。実施形態において一つのフットプリントとは特に断らない限り、表面実装基板のハンダ接合面における連続した一つの電極に対応する、プリント基板のフットプリントを意味するものとする。【００３９】
（第一の実施形態）
図１は、第一の実施形態にかかるプリント基板２００のフットプリント形状を説明する模式図である。図１では、プリント基板２００をハンダ接合面側から見た概観を示している。プリント基板２００は、その表面にフットプリント２３０（１），２２０，２３０（２）を備える。【００４０】
プリント基板２００には、表面実装基板１００がハンダ接合される。表面実装基板１００は、プリント基板２００のフットプリント２３０（１），２２０，２３０（２）に対応するように、電極１３０，１２０，１１０を備える。【００４１】
表面実装基板１００の熱を効率的に放熱させるために、プリント基板２００には、フットプリント２３０（１），２２０，２３０（２）を介して表面実装基板１００の熱が伝達される。【００４２】
また、表面実装基板１００の電極１３０，１２０，１１０は、表面実装基板１００の発熱をプリント基板２００に効率的に伝達するために、典型的には電気的接続のみを企図する場合に比較して大きく形成される。同様に、表面実装基板１００の電極１３０，１２０，１１０に対応するフットプリント２３０（１），２２０，２３０（２）は、表面実装基板１００の発熱を容易に伝達されるよう、典型的には電気的接続のみを企図する場合に比較して大きく形成される。【００４３】
また、表面実装基板１００の電極１３０に対応するフットプリント２３０（１）は、フィレット形成分割部２１０（１）を備える。フィレット形成分割部２１０（１）には、ハンダ接続する場合に独立にハンダが供給される。【００４４】
フィレット形成分割部２１０（１）は、フットプリント２３０（１）全体に比較して溶融ハンダの流動面積が低減されるので、溶融ハンダの偏在を抑制できる。また、フィレット形成分割部２１０（１）は、本来一体的に形成されていたフットプリント２３０（１）の一部を、ハンダの偏在が生じない程度の大きさに分割したものともいえる。【００４５】
フィレット形成分割部２１０（１）は、フィレット形成分割部２１０（１）が表面実装基板１００の外縁１０１側に配置されるように、フットプリント２３０（１）の長軸を分割されて形成される。また、フィレット形成分割部２１０（１）は良好にフィレットが形成される程度の大きさであるので、例えば外縁１０１側からのハンダ付け外観検査不良を低減することが可能となる。【００４６】
また、表面実装基板１００の電極１１０に対応するフットプリント２３０（２）は、フィレット形成分割部２１０（２）を備える。フィレット形成分割部２１０（２）には、ハンダ接合時に独立にハンダが供給される。【００４７】
フィレット形成分割部２１０（２）は、フットプリント２３０（２）全体に比較して溶融ハンダの流動面積が低減されるので、溶融ハンダの偏在を抑制できる。また、フィレット形成分割部２１０（２）は、本来一体的に形成されていたフットプリント２３０（２）の一部を、ハンダの偏在が生じない程度の大きさに分割したものともいえる。【００４８】
フィレット形成分割部２１０（２）は、フィレット形成分割部２１０（２）が表面実装基板１００の外縁１０１側に配置されるように、フットプリント２３０（２）の長軸を分割して形成される。フィレット形成分割部２１０（２）は良好にフィレットが形成される程度の大きさであるので、例えば外縁１０１側からのハンダ付け外観検査不良を低減することが可能となる。【００４９】
図２は、表面実装基板１００をハンダ接合面側から見た概要を説明する概念図である。表面実装基板１００は、ハンダ付けするための電極１１０，１２０，１３０を備える。また、電極１１０には、フットプリント２３０（２）がハンダ接合される。また、フットプリント２３０（２）は、フィレット形成分割部２１０（２）を備える。【００５０】
また、電極１３０には、フットプリント２３０（１）がハンダ接合される。また、フットプリント２３０（１）は、フィレット形成分割部２１０（１）を備える。フィレット形成分割部２１０（１）は、フィレット形成分割部２１０（２）と同一の形状・大きさとすることが好ましい。【００５１】
これにより、フィレット形成分割部２１０（１）とフィレット形成分割部２１０（２）との間で、ハンダ塗布量を同一とできるだけでなく、ハンダ溶融状態や溶融ハンダの流動可能面積も同一となるので、ハンダ付け工程管理が容易となりハンダ付け不良の低減に資することとなる。【００５２】
また、電極１２０はフットプリント２２０とハンダ接合される。フットプリント２２０は、フットプリント２３０（１），２３０（２）に比較して長くなく、フィレットを良好に形成できる程度の大きさであるので、分割しなくてもハンダ付け不良は生じにくいものとする。また、好ましくは、フィレット形成分割部２１０（１），２１０（２）は、フットプリント２２０と同一の形状・大きさであるものとする。【００５３】
これにより、フィレット形成分割部２１０（１）とフィレット形成分割部２１０（２）とフットプリント２２０との間で、ハンダ塗布量を同一とできるだけでなく、ハンダ溶融状態や溶融ハンダの流動可能面積も同一となるので、工程管理が容易となりハンダ付け不良の低減に資する。【００５４】
また、フィレット形成分割部２１０（１）とフィレット形成分割部２１０（２）とフットプリント２２０とを、ハンダ付けした場合の表面実装基板１００の外縁１０１側に、外縁１０１に平行に配置すると、表面実装基板１００とプリント基板２００とを平行にハンダ付けし易くなるので好ましい。また、フィレット形成分割部２１０（１）とフィレット形成分割部２１０（２）とフットプリント２２０とを、等間隔で配置すると、表面実装基板１００とプリント基板２００とを平行にハンダ付けし易くなるのでさらに好ましい。【００５５】
図３は、表面実装基板１００とプリント基板２００とをハンダ接合した電子装置７０００の構造を概念的に説明する模式図である。図３において、表面実装基板１００の電極１３０は、ハンダ７５３０（２）によりフットプリント２３０（１）の分割残余部２４０に接合される。また、表面実装基板１００の電極１３０は、ハンダ７５３０（１）によりフットプリント２３０（１）のフィレット形成分割部２１０（１）に接合される。【００５６】
図３に示すように、フィレット形成分割部２１０（１）上のハンダ７５３０（１）は、ハンダ量が多大ではなく溶融ハンダの流動可能範囲もフィレット形成分割部２１０（１）上に制限されることから、良好にフィレットを形成することができる。【００５７】
仮に、フットプリント２３０（１）がフィレット形成分割部２１０（１）と分割残余部２４０とに分割されないとすれば、フィレット形成分割部２１０（１）上の溶融ハンダが分割残余部２４０上へと自由に流動することも可能となる。また、フットプリント２３０（１）上の溶融ハンダの量が多大となることから、わずかな傾きによる重力の影響や表面張力による凝集力が流動抑止力に勝りやすくなり、溶融ハンダの偏在を生じることが懸念される。【００５８】
フィレット形成分割部２１０（１）上の溶融ハンダが分割残余部２４０上へと自由に流動した状態で溶融ハンダが固化すると、フィレットが形成されずに外観検査異常となる。【００５９】
なお、上述したように、フィレット形成分割部２１０（１）と分割残余部２４０とからなるフットプリント２３０（１）は、本来単一のフットプリントとして一体的に形成されるべきものであるので、ハンダ付け時にフットプリント２３０（１）に対向する電極は単一の電極１３０となる。【００６０】
換言すれば、フィレット形成分割部２１０（１）と分割残余部２４０とは、表面実装基板１００のハンダ付け後においては、電気的に接続された状態となる。また、フィレット形成分割部２１０（１）と分割残余部２４０とは、フットプリント２３０（１）の一部として共に単一の電極１３０からの放熱機能を担うこととなる。【００６１】
（第二の実施形態）
図４は、対向する二つの外縁対応部分に各々フィレット形成分割部郡３３０，３４０を備えるプリント基板２００（２）を説明する概念図である。図４においては、第一の実施形態で説明した構成と対応する構成については対応する符号を付して、説明の重複を避けるために詳述を避けることとする。【００６２】
第二の実施形態にかかるプリント基板２００（２）は、外縁３１０側に配置されたフィレット形成分割部郡３３０と、外縁３１０に対向する外縁３２０側に配置されたフィレット形成分割部郡３４０と、を備える。【００６３】
なお、外縁３１０と外縁３２０とは、表面実装基板１００（２）がプリント基板２００（２）にハンダ付けされる場合の、表面実装基板１００（２）の外縁であるものとする。表面実装基板１００（２）を、プリント基板２００（２）に対して傾くことなく良好にハンダ付けする意味において、ハンダ付け時に表面実装基板１００（２）と対向する領域の所定縁部に、フィレット形成分割部郡３３０，３４０を備えるものとする。【００６４】
フィレット形成分割部郡３３０は、フィレット形成分割部２１０（１），２１０（２）と、フィレット形成分割部２１０（１），２１０（２）と同一形状・大きさのフットプリント２２０と、を有する。フィレット形成分割部郡３３０は、フットプリント２２０を任意の複数備えていてもよい。フィレット形成分割部２１０（１），２１０（２）は、ハンダ付け時の表面実装基板１００（２）の外縁３１０側にフィレット形成分割部２１０（１），２１０（２）が配置されるように、各々フットプリント２３０（１），２３０（２）の長軸を分割して形成されたものである。【００６５】
フットプリント２３０（１）には電極１３０がハンダ接合され、フットプリント２３０（２）には電極１１０がハンダ接合され、フットプリント２２０には電極１２０がハンダ接合される。【００６６】
また、フィレット形成分割部郡３４０は、フィレット形成分割部２１０（３），２１０（４）と、フィレット形成分割部２１０（３），２１０（４）と同一形状・大きさのフットプリント２２０（２）と、を有する。フィレット形成分割部郡３４０は、フットプリント２２０（２）を任意の複数備えていてもよい。フィレット形成分割部２１０（３），２１０（４）は、ハンダ付け時の表面実装基板１００（２）の外縁３２０側にフィレット形成分割部２１０（３），２１０（４）が配置されるように、各々フットプリント２３０（３），２３０（４）の長軸を分割して形成されたものである。【００６７】
また、フットプリント２３０（３）とフットプリント２３０（４）とフットプリント２２０（２）とには、各々表面実装基板１００（２）の対向する電極がハンダ接合される。【００６８】
第二の実施形態にかかるプリント基板２００（２）は、外縁３１０側と外縁３２０側とに備えるフィレット形成分割部郡３３０，３４０において、表面実装基板１００（２）をハンダ接合する場合に各々フィレットが形成されて円滑かつ均一にハンダ付けすることが可能となる。【００６９】
換言すれば、プリント基板２００（２）は、表面実装基板１００（２）をハンダ付けする場合に、外縁３１０側において、同一条件で良好にフィレットを形成可能な程度の大きさ・形状の複数のフィレット形成分割部２１０（１），２１０（２）を有するフィレット形成分割部郡３３０を備える。【００７０】
また、プリント基板２００（２）は、表面実装基板１００（２）をハンダ付けする場合に、外縁３２０側において、同一条件で良好にフィレットを形成可能な程度の大きさ・形状の複数のフィレット形成分割部２１０（３），２１０（４）を有するフィレット形成分割部郡３４０を備える。また、フィレット形成分割部郡３３０とフィレット形成分割部郡３４０とは、二つ以上の複数であってもよく、例えば表面実装基板１００（２）の四辺の外縁側に対応して各々設けることもできる。より多くの外縁対応部分にフィレット形成分割部郡３３０等を備えることで、より確実かつ安定した表面実装基板１００（２）のハンダ付けが可能となるので好ましい。【００７１】
また、フィレット形成分割部郡３３０とフィレット形成分割部郡３４０とは、各々同一条件で良好にフィレットを形成可能な程度の同一の大きさ・形状の複数のフィレット形成分割部を備える。【００７２】
これにより、プリント基板２００（２）は、長短種々様々な大きさ形状のフットプリントを備える場合においても、ハンダ付け不良を抑制し表面実装基板１００（２）のハンダ付けを安定して行うことができる。【００７３】
図５は、第二の実施形態にかかる表面実装基板１００（２）のハンダ付け面を例示する図である。図５に示すように、表面実装基板１００（２）には、複数の比較的短い電極１２０と、やや長い電極１１０と、さらに長い電極１３０と等複数の大きさ形状の電極を備える。また、比較的短い電極１２０は、表面実装基板１００（２）の対向する長辺の外縁部分に複数配置される。【００７４】
やや長い電極１１０とさらに長い電極１３０とは、比較的短い電極１２０よりも、より多くの熱伝導をすることが期待される。一方、複数の比較的短い電極１２０と、やや長い電極１１０と、さらに長い電極１３０とは、ハンダ付けされる場合にハンダ接合面積が各々異なることとなるので電極毎に溶融ハンダとの力作用が異なり、表面実装基板１００（２）全体として傾かないようにバランスをとってハンダ接合することが比較的困難である。【００７５】
このため、ハンダ付け時に、やや長い電極１１０とさらに長い電極１３０とに対向するフットプリント２３０（２），２３０（１）は、比較的短い電極１２０に対向するフットプリント２２０と同一の大きさ・形状のフィレット形成分割部２１０（２），２１０（１）を備えることが好ましい。【００７６】
表面実装基板１００（２）は、プリント基板２００（２）への放熱と電気的接続とハンダ付け不良の低減とをバランス良く調和させることができるので、消費電力が大きなＩＣや電源モジュール等の表面実装部品とすることが可能である。表面実装基板１００（２）は、とりわけリードレス形状でいわゆるスタンドオフがないものであってもよい。【００７７】
第二の実施形態にかかるプリント基板２００（２）は、新たな部材を付加することを要さずに表面実装基板１００（２）のハンダ付け時の不良を低減し、ハンダ付け工程のスループットを向上させることができるので電子装置の低コスト化に資する。【００７８】
（第三の実施形態）
図６は、第三の実施形態にかかる電子装置８０００の構成概要を説明する模式図である。図６においては、図３に示す電子装置７０００と対応する箇所には対応する符号を付して、説明の重複を避けるためにここでは説明を簡便にする。【００７９】
図６に示すように、電子装置８０００のプリント基板２００は、フットプリント２３０（１）を分割したフィレット形成分割部２１０（１）と分割残余部２４０とを備える。また、電子装置８０００において、フィレット形成分割部２１０（１）は、ハンダが移動しない程度の長さＬと幅Ｗとを有する括れ部８１０を備える。すなわち、フィレット形成分割部２１０（１）は、括れ部８１０で分割残余部２４０と接続されている。【００８０】
ここで、括れ部８１０の幅Ｗは、０．５ミリメートルから１．０ミリメートル程度とすることが、括れ部８１０におけるハンダ移動抑制の観点からは好ましい。括れ部８１０の幅Ｗが、０．５ミリメートルよりも小さくなると、毛細管現象によってハンダ移動抑制効果が低減する傾向にある。また、フットプリント２３０（１）の幅Ｗ２は、少なくとも１．０ミリメートルよりも大きくすることが好ましい。【００８１】
このため、括れ部８１０の幅Ｗは、少なくとも０．５ミリメートルより大きな値とすることが好ましい。また、括れ部８１０の長さＬは、幅Ｗの２倍以上とすることが好ましい。典型的には、括れ部８１０の長さＬは、１．０ミリメートルから２．０ミリメートル程度とする。【００８２】
第三の実施形態にかかる電子装置８０００においては、表面実装基板１００をプリント基板２００にハンダ付けする場合のハンダ付け不良が低減されるとともに、括れ部８１０により電気的接続と熱伝導性が確保されるので、さらに電気的接続の安定性と放熱性とを向上させることができる。【００８３】
（第四の実施形態）
第四の実施形態で説明するフットプリント９２３０は、５つのフィレット形成分割部９２１０（１）乃至９２１０（５）を備える。また、第四の実施形態で説明するフットプリント９２３０は、５つのフィレット形成分割部９２１０（１）乃至９２１０（５）（以下、適宜フィレット形成分割部９２１０と称する）の各間に、四つの括れ部９８１０（１）乃至９８１０（４）（以下、適宜括れ部９８１０と称する）を備える。【００８４】
図７は、第四の実施形態にかかるフットプリント９２３０を例示する概念図である。図７に示すように、フットプリント９２３０は、任意の複数のフィレット形成分割部９２１０を備えてもよい。複数のフィレット形成分割部９２１０を備える場合において、フットプリント９２３０は、可能な限り外縁側にフィレット形成分割部９２１０を配置することが好ましいが、これに限られず複数のフィレット形成分割部９２１０を任意の配置としてもよい。【００８５】
フットプリント９２３０の各フィレット形成分割部９２１０は、好ましくは同一の形状で同一の大きさとする。これにより、各フィレット形成分割部９２１０へのハンダ供給量を同一とすることができ、電極９１３０において表面実装基板を水平にハンダ付けすることが容易となる。【００８６】
また、各フィレット形成分割部９２１０の間に、任意の数だけ括れ部９８１０を設けることもできる。括れ部９８１０は、ハンダ付けをする場合にハンダが移動できない程度の長さと太さとすることが好ましい。括れ部９８１０の長さと太さとは、ハンダの特性やハンダ付け条件によっても適切な値が異なってくるので、電子装置の要求仕様に対応させて適宜設計することとしてもよい。【００８７】
第四の実施形態で説明するフットプリント９２３０は、上述の他の実施形態で説明した電子装置やプリント基板に、適宜備えることとできる。第四の実施形態で説明するフットプリント９２３０は、複数のフィレット形成分割部９２１０を備えることにより、フットプリント９２３０の長軸方向に対しても、ハンダ付けされる表面実装基板の安定性を向上させることができる。また、第四の実施形態で説明するフットプリント９２３０は、複数のフィレット形成分割部９２１０を備えることにより、各フィレット形成分割部９２１０において各々フィレットを形成して各々ハンダ付け不良を低減することができる。【００８８】
各実施形態で説明した電子装置やプリント基板においては、表面実装基板に対して処理を追加することなく、また表面実装基板に対して部品を追加することなく、ハンダ付けの不良を低減させることが可能である。また、仮に表面実装基板に浮きや傾きが生じた場合においても、ハンダ付け不良を低減した電子装置とすることができる。【００８９】
このため、顧客等から実装依頼のあった表面実装基板や市販の表面実装基板を実質的に改変や改質をすることなく、ハンダ付け工程スループットを向上させた電子装置を作製することができる。プリント基板は、フットプリント９２３０を任意の複数だけ設けることができる。【００９０】
上述した各実施形態で説明した電子装置やプリント基板等は、各々の実施形態での説明に限定されることはなく、自明な範囲で適宜その構成や処理工程を変更して用いることとできる。【００９１】
また、上述した各実施形態で説明した電子装置やプリント基板等は、各々の実施形態での説明に限定されることはなく、適宜組み合わせた電子装置やプリント基板とすることができる。なお、上述の実施形態においては、説明の簡便のためプリント基板にハンダ付けする実装デバイスを表面実装基板として例示して説明した。しかし、これに限られず、種々の表面実装部品をプリント基板に実装する場合にも本発明を適用できる。すなわち、本発明にいう表面実装基板は、プリント基板とのハンダ付け面において、放熱及び電気伝導を担う程度の電極面積を有する実装デバイスであればよい。
【産業上の利用可能性】
【００９２】
この発明は、ハンダ接合面に比較的長い電極を有するスタンドオフがない表面実装基板を実装する電子装置等に利用できる。
【図１】
2010097835.tif 000003
【図２】
2010097835.tif 000004
【図３】
2010097835.tif 000005
【図４】
2010097835.tif 000006
【図５】
2010097835.tif 000007
【図６】
2010097835.tif 000008
【図７】
2010097835.tif 000009
【図８】
2010097835.tif 000010
【図９】
2010097835.tif 000011
【国際調査報告】
2010097835.tif 000012
2010097835.tif 000013
2010097835.tif 000014